(57)【要約】【課題】床面の洗浄・拭き取りの一連の作業が１台の床面洗浄機で行うことができる床面洗浄機を提供することにある。【解決手段】床面を移動できるようにキャスター１２及び手押しハンドル１３を持った台車式の洗浄機本体１１と、この洗浄機本体１１に設けられ床面に対して高圧蒸気を直接噴射して床面を洗浄する高圧蒸気噴射器１４と、前記洗浄機本体１１に設けられ床面上の水分を掻き集め、ポンプによって吸引する水分吸引器３４と、洗浄機本体１１に設けられ水分吸引器３４によって吸引した水分を貯溜する水分貯溜タンク３３とを具備したことを特徴とする。【選択図】    図１
2004357793.tif 000002
【特許請求の範囲】
【請求項１】
床面を移動できるようにキャスター及び手押しハンドルを持った台車式の洗浄機本体と、この洗浄機本体に設けられ床面に対して高圧蒸気を直接噴射して床面を洗浄する高圧蒸気噴射器と、前記洗浄機本体に設けられ床面上の水分を掻き集め、ポンプによって吸引する水分吸引器と、前記洗浄機本体に設けられ前記水分吸引器によって吸引した水分を貯溜する水分貯溜タンクとを具備したことを特徴とする床面洗浄機。
【請求項２】
前記高圧蒸気噴射器及び前記水分吸引器は、前記洗浄機本体に対して上下動可能であり、床面に対して進退自在であることを特徴とする請求項１に記載の床面洗浄機。
【請求項３】
前記高圧蒸気噴射器は、床面に向かって開口する多数の蒸気噴射ノズルを有するノズルボックスを有し、このノズルボックスの外周囲に蒸気の漏れを抑制するスカート状のカバーを設けたことを特徴とする請求項１に記載の床面洗浄機。
【発明の詳細な説明】
【０００１】
【発明の属する技術分野】
この発明は、ビルやマンションのロビーや地下通路等の広い床面を洗浄するのに便利な床面洗浄機に関する。
【０００２】
【従来の技術】
ビルやマンションのロビー、廊下や地下通路等の広い床面は、コンクリート上に陶石や合成樹脂製のタイルあるいは大理石等を敷設することにより構成されている。このような広い床面の洗浄は、清掃業者が行うのが一般的であり、次のように作業手順で行われている。
【０００３】
▲１▼  洗浄しようとする床面にモップを用いて、弱酸性、中性、アルカリ性等の洗剤を塗布する。
【０００４】
▲２▼  洗剤が塗布された床面に回転式ポリッシャーを掛け、床面を洗浄する。
【０００５】
▲３▼  水道の蛇口に接続したホースを用いて水道水を床面に散水し、洗浄後の汚水と洗剤分を洗い流す。
【０００６】
▲４▼  ウェットバキュームを使用して床面の水分を吸引する。
【０００７】
▲５▼  モップを用いて床面に残った水分を拭き取って床面の洗浄が完了する。
【０００８】
【発明が解決しようとする課題】
しかしながら、前述のように、洗浄作業毎に、使用する機材（モップ、回転式ポリッシャー、バキューム機器、ホース等）が異なるため、清掃業者は、これら複数の機材を用意して現場に設置または運搬する必要がある。また洗浄作業手順毎に機材を交換する必要があるために、洗浄作業が煩雑で、作業効率が悪いという問題がある。
【０００９】
さらに、洗剤（弱酸性、中性、アルカリ性等）を使用するために、環境汚染の問題もあり、また洗剤分を洗い流すのに要する時間が掛かる。さらに、回転式ポリッシャーによって研摩するために、床面に微細な傷跡が付き、汚れが付着しやすいという問題がある。
【００１０】
この発明は、前記事情に着目してなされたもので、その目的とするところは、一連の洗浄作業手順を１台の機材で行うことができ、作業効率を向上できるとともに、洗剤を用いることなく、床面に対して非接触で汚れを効率的に取り除くことができ、また環境にも優しい床面洗浄機を提供することにある。
【００１１】
【課題を解決するための手段】
この発明は、前記目的を解決するために、請求項１は、床面を移動できるようにキャスター及び手押しハンドルを持った台車式の洗浄機本体と、この洗浄機本体に設けられ床面に対して高圧蒸気を直接噴射して床面を洗浄する高圧蒸気噴射器と、前記洗浄機本体に設けられ床面上の水分を掻き集め、ポンプによって吸引する水分吸引器と、前記洗浄機本体に設けられ前記水分吸引器によって吸引した水分を貯溜する水分貯溜タンクとを具備したことを特徴とする床面洗浄機にある。
【００１２】
請求項２は、請求項１の前記高圧蒸気噴射器及び前記水分吸引器は、前記洗浄機本体に対して上下動可能であり、床面に対して進退自在であることを特徴とする。
【００１３】
請求項３は、請求項１の前記高圧蒸気噴射器は、床面に向かって開口する多数の蒸気噴射ノズルを有するノズルボックスを有し、このノズルボックスの外周囲に蒸気の漏れを抑制するスカート状のカバーを設けたことを特徴とする。
【００１４】
前記構成によれば、高圧蒸気（５０℃〜８０℃）はノズルボックスに導入され、ノズルボックスの多数の蒸気噴射ノズルから床面に対して直接噴射する。このとき、ノズルボックスの外周囲はスカート状のカバーによって覆われているため、蒸気噴射ノズルから噴射される蒸気が外部に漏れるのを抑制することができる。
【００１５】
高圧蒸気が床面上に直接噴射すると、床面上に付着していた汚染物質は床面から剥離され、浮き上がった状態となる。この状態で、手押しハンドルを押しながら床面上を前進すると、水分とともに汚染物質は水分吸収器によって掻き集められるとともに吸引されて水分貯溜タンクに集溜される。
【００１６】
【発明の実施の形態】
以下、この発明の実施の形態を図面に基づいて説明する。
【００１７】
図１〜図３は第１の実施形態を示し、図１は床面洗浄機の斜視図、図２は図１のＡ−Ａ線に沿う断面図、図３は図１のＢ−Ｂ線に沿う断面図である。図１〜図３に示すように、台車式の洗浄機本体１１は、略矩形状で、その下部四隅にはキャスター１２が設けられている。洗浄機本体１１の後部おける上部には逆Ｕ字状の手押しハンドル１３が設けられている。
【００１８】
洗浄機本体１１の前部における下部には床面に対して高圧蒸気（５０℃〜８０℃）を直接噴射して床面を洗浄する高圧蒸気噴射器１４が設けられている。この高圧蒸気噴射器１４には、外部の蒸気発生源（図示しない）と接続された矩形ボックス形状のノズルボックス１５が設けられ、このノズルボックス１５の下部プレート１６には多数の蒸気噴射ノズル１７が設けられている。
【００１９】
ノズルボックス１５の四隅にはガイドローラ１８が回転自在に取付けられ、これらガイドローラ１８は洗浄機本体１１に上下方向に設けられたガイド面１９に転動自在に支持されている。従って、ノズルボックス１５は洗浄機本体１１に対して上下動自在に支持されている。
【００２０】
さらに、ノズルボックス１５の略中央部にはボールねじ２０のねじ軸２１が上方に突出して設けられ、このねじ軸２１にはナット２２が螺合されている。洗浄機本体１１の前部における上面にはボールねじ２０のナット２２と結合された第１のハンドル２３が設けられている。従って、第１のハンドル２３を回転することによりナット２２が回転し、このナット２２の回転運動がねじ軸２１によって直線運動に変換され、ノズルボックス１５が上下動できるようになっている。すなわち、ノズルボックス１５の下部プレート１６が床面に対して接近したり、離間できるようになっている。また、ノズルボックス１５の外周囲にはゴム、合成樹脂等の可撓性を有するスカート状のカバー２４が設けられ、ノズルボックス１５と床面との間の隙間を塞ぎ、隙間から蒸気の漏れを抑制するようになっている。
【００２１】
また、洗浄機本体１１の後部における上面には第２のハンドル２５が設けられている。この第２のハンドル２５は洗浄機本体１１を上下方向に貫通するボールねじ２６のナット２７に結合されている。ナット２７にはねじ軸２８が螺合され、このねじ軸２８は洗浄機本体１１の下方に突出している。
【００２２】
ねじ軸２８の下端部には床面上の水分を掻き集めるスクレーパ２９が設けられている。このスクレーパ２９は洗浄機本体１１の前部に向かって開口する広角Ｖ字状の剛性を有するスクレーパ本体３０と、このスクレーパ本体３０の下部における全長に亘って設けられ、床面に接触するゴム、合成樹脂製の摺擦片３１とから構成されている。そして、スクレーパ本体３０の幅（左右）方向の中間部に前記ねじ軸２８が固定され、スクレーパ２９は回転不能に、かつ上下動自在に支持されている。
【００２３】
さらに、スクレーパ２９の左右両端部及び中間部には真空吸引カップ３２が設けられ、これら真空吸引カップ３２はホース３２ａを介して洗浄機本体１１に搭載された水分貯溜タンク３３に連通している。この水分貯溜タンク３３の内部には電源と接続される真空ポンプ（図示しない）が設けられ、スクレーパ２９によって掻き集めた洗浄後の汚水と水分を真空吸引して貯溜する水分吸収器３４が構成されている。
【００２４】
従って、前記スクレーパ２９は、第２のハンドル２５を回転することによりナット２７が回転し、このナット２７の回転運動がねじ軸２８によって直線運動に変換され、スクレーパ２９が上下動できるようになっている。すなわち、スクレーパ２９が床面に対して接近したり、離間できるようになっている。
【００２５】
また、前記高圧蒸気噴射器１４のノズルボックス１５には高圧配管３５が接続されている。この高圧配管３５は高圧ホース３６を介して外部の高圧蒸気発生装置（図示しない）に接続されている。なお、洗浄機本体１１に高圧蒸気発生装置を搭載してもよい。
【００２６】
高圧配管３５には分岐管３７が設けられ、分岐部には切換えコック３８が設けられている。分岐管３７には高圧ホース３９を介してハンド式蒸気噴出具４０が設けられている。従って、切換えコック３８の切換えによって高圧蒸気をノズルボックス１５またはハンド式蒸気噴射具４０に切換できるようになっている。
【００２７】
次に、床面洗浄機を用いて床面を洗浄する場合について説明する。
【００２８】
床面洗浄機は、洗浄機本体１１にキャスター１２と手押しハンドル１３が設けられているため、床面を自由に移動することができる。第１のハンドル２３を回転させ、高圧蒸気噴射器１５のノズルボックス１５の高さ調節を行う。この場合、ノズルボックス１５の外周囲のスカート状のカバー２４の下端縁が床面に接近し、蒸気噴射ノズル１７から噴射される蒸気が外部に漏れない位置が望ましい。
【００２９】
また、第２のハンドル２５を回転させ、スクレーパ２９の高さ調節を行う。この場合、スクレーパ２９の摺擦片３１が床面に接触して床面上の水分を掻き集めることができる位置が望ましい。
【００３０】
この状態で、切換えコック３８を操作してノズルボックス１５側へ切換えると、高圧蒸気発生装置から高圧ホース３６を介して供給された高圧蒸気（５０℃〜８０℃）はノズルボックス１５に導入され、ノズルボックス１５の多数の蒸気噴射ノズル１７から床面に対して直接噴射する。このとき、ノズルボックス１５の外周囲はスカート状のカバー２４によって覆われているため、蒸気噴射ノズル１７から噴射される蒸気が外部に漏れるのを抑制することができる。
【００３１】
高圧蒸気が床面上に直接噴射すると、床面上に付着していた汚染物質は床面から剥離され、浮き上がった状態となる。この状態で、手押しハンドル１３を押しながら床面上を前進すると、スクレーパ２９の摺擦片３１が床面に接触して水分とともに汚染物質はスクレーパ２９によって掻き集められる。
【００３２】
このとき、スクレーパ２９に設けられた真空吸引カップ３２は真空ポンプによって真空吸引されているため、スクレーパ２９によって掻き集められた汚染物質とともに水分は真空吸引カップ３２によって吸引され、水分貯溜タンク３３に集溜される。
【００３３】
従って、作業者は洗浄機本体１１を移動させるだけで、床面に対する高圧蒸気の噴射及び噴射によって床面から剥離された汚染物質及び水分は真空吸引カップ３２によって吸引され、水分貯溜タンク３３に集溜される。
【００３４】
このように床面の洗浄・拭き取りの一連の作業が１台の床面洗浄機で行うことができ、また洗剤を使用することがないため、従来のようにモップを用いて洗剤を塗布したり、拭き取ったり、また回転式ポリッシャーを用いることがなく、作業効率の向上を図ることができる。また、床面に高圧蒸気を直接噴射する非接触洗浄方式であるため、回転式ポリシャーのように床面に微細な傷跡を付けることがなく、洗浄後に汚れが付着し難いという効果があり、また作業者は床面洗浄機を手押し式に移動させるだけであるため、作業者の労力を軽減できる。
【００３５】
また、床面と壁との境界部分の汚れを落とす際には、切換えコック３８をハンド式蒸気噴射具４０側に切換えると、高圧蒸気発生装置からの高圧蒸気がハンド式蒸気噴射具４０から噴射する。従って、ハンド式蒸気噴射具４０を持って汚れた壁等に接近させることにより、汚染物質を壁面から浮き上がらせて簡単に洗浄できる。
【００３６】
また、床面洗浄機によって床面の洗浄が終了し、床面洗浄機を他の場所に移動する場合には、洗浄機本体１１にキャスター１２が設けられているため簡単に移動できるが、床面に段差があることを考慮し、第１及び第２のハンドル２３，２５によってノズルボックス１５及びスクレーパ２９を高い位置に移動することにより、ノズルボックス１５及びスクレーパ２９の損傷を防止できる。
【００３７】
また、前記実施形態においては、ノズルボックス１５及びスクレーパ２９を上下動する手段としてボールねじを用い、ハンドルによってナットを回転させてねじ軸を軸方向に進退するようにしたが、これに限定されるものではなく、ラック・ピニオン機構、カム機構、モータによって上下する構造でもよい。
【００３８】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【００３９】
【発明の効果】
以上説明したように、この発明によれば、作業者は洗浄機本体を移動させるだけで、床面に対する高圧蒸気の噴射及び噴射によって床面から剥離された汚染物質及び水分を真空吸引されて水分貯溜タンクに集溜することができる。従って、床面の洗浄・拭き取りの一連の作業が１台の床面洗浄機で行うことができ、従来のようにモップを用いて洗剤を塗布したり、拭き取ったり、また回転式ポリッシャーを用いることがなく、作業効率の向上を図ることができる。
【００４０】
また、床面に高圧蒸気を直接噴射する非接触洗浄方式であるため、回転式ポリシャーのように床面に微細な傷跡を付けることがなく、洗浄後に汚れが付着し難いという効果があり、作業者の労力を軽減できる。また洗剤を使用することがないため、コスト低減を図ることができ、環境にも優しいという効果がある。
【図面の簡単な説明】
【図１】この発明の第１の実施形態を示す床面洗浄機の斜視図。
【図２】図１のＡ−Ａ線に沿う断面図。
【図３】図１のＢ−Ｂ線に沿う断面図。
【符号の説明】
１１…洗浄機本体、１２…キャスター、１３…手押しハンドル。１４…高圧蒸気噴射器、１５…ノズルボックス、１７…蒸気噴射ノズル、２４…カバー、３３…水分貯溜タンク、３４…水分吸引器
【図１】
2004357793.tif 000003
【図２】
2004357793.tif 000004
【図３】
2004357793.tif 000005